(57)【要約】【課題】  液体容器口部に装着された升蓋を取り外してして行う液体の計量時に、液体が手や液体容器に垂れる問題を解決する。【解決手段】  柔軟性容器内部に容器内部を仕切る仕切り板を設け、仕切板より上を計量室とし、仕切り板より下を容器室として、仕切り板周囲より上に伸びる液流穴を有する側板と空流穴を有する側板を形成し、液流穴下部と空流穴下部は容器室に続け上部は計量室に続けて、側板上部に側板上部を繋ぐフックパッキンを設けて、容器蓋に溝を形成して、溝にフックパッキンを引っ掛けて、容器蓋側部に液排口を設けて、液排口より仕切板近くまで伸びる液排管を形成して、液排口を液排口蓋で塞いで、容器に傾斜計量線と計量線を記入する。【選択図】図３
2014144813.tif 000002
【特許請求の範囲】
【請求項１】
容器口部にネジにより螺合する容器蓋を備えた柔軟性材料からなる容器と前記容器口部に装着して計量室を形成する計量具において、該計量具は、前記容器口部に装着した場合に前記容器内を容器室と容器口部を区画するための外周にパッキンを備えた仕切り板を有し、該仕切り板の中心を挟んで相対する外周寄りの位置に２本の液流穴を有する側板と空流穴を有する側板がそれぞれ仕切り板上に立設され、前記２本の側板の上端しは円盤上のフックパッキンで繋がれており、又、前記液流穴と空流穴のそれぞれは前記容器室から計量室に通じており、一方、前記容器蓋の内周面には前記フックパッキンの外周部を嵌合させるための溝を形成すると共に、前記容器蓋の側部には蓋を有する液排口が設けられると共に、この液排口には仕切り板の近傍まで伸びる液配管が繋がって形成されていることを特徴とする包装容器。
【請求項２】
前記容器蓋の溝にフックパッキンを嵌合してあることにおいて、容器口部より容器蓋と仕切り板は一体に脱着できることを特徴とする請求項１に記載の包装容器。
【請求項３】
前記仕切り板中央に縦軸受けを設けて、仕切り板周囲より上に伸びる液流穴と液流口を有する側板と、空流穴と空流口を有する側板を形成して、液流口と空流口を開閉する液空流調整弁を液流口と空流口間に配設し、液空流調整弁より上下に伸びる縦軸下部に縦軸フックを形成しスプリングを装着して、縦軸受けにフックを貫通させ縦軸フックに止輪を装着して、容器口部内側に溝を形成し、溝にフックを嵌合して、容器口部に容器蓋を装着し、容器蓋脱着により縦軸が上下動することを特徴とする請求項１乃至請求項２のいずれかに記載の包装容器。
【請求項４】
前記仕切板中央に縦軸受けと液流口形成し、容器蓋中央に柔軟性材料で形成された押しボタンを装着して、容器蓋と縦軸受け間にフックを有する縦軸を配設し、縦軸下部にスフリングを装着し、縦軸受けにフックを貫通させフックに液流口弁を装着して、容器蓋中央の押しボタンを押し縦軸と液流口弁を上下動させて液流口を開閉できることを特徴とする請求項１乃至請求項３のいずれかに記載の包装容器。
【請求項５】
前記側板のフックパッキン下に突起を設け、容器口部内側に溝を形成し、前記溝に前記突起を脱着容易に嵌合してあることを特徴とする請求項１乃至請求項４のいずれかに記載の包装容器。
【請求項６】
前記仕切り板中央に液流管を形成して、液流管は、仕切り板より容器底迄延長すると共に仕切り板より上に伸ばして、液流管上部に柔軟性材料で形成した切断線液流口を有する液流口キャップを装着してあることを特徴とする請求項１乃至請求項５のいずれかに記載の包装容器。
【請求項７】
前記容器内部に容器内部を仕切る仕切り板挿入のさいに仕切り板を固定する溝を容器内部に円周状に設け、溝に仕切り板を脱着容易に挿入してあると共に、容器口部に装着する容器蓋側部を上に延長して、延長した容器蓋側部より仕切り板近く迄液排穴を形成して、容器口部を覆う容器蓋の天板上に天秤形埋め込み式弁レバーを設け、液排穴内の液流を遮断する弁を弁レバーにより上下動自在に装着してあることを特徴とする請求項１乃至請求項６のいずれかに記載の包装容器。
【請求項８】
前記仕切り板より上に伸ばした液流管の左右を切り欠き、残った部分を取っ手形状にして、液流管上部に柔軟性材料で形成した切断線液流口を設けた液流口キャップを脱着容易に装着して、容器口部を覆う容器蓋の一部を樋形状にし、容器蓋に樋を覆う液排口蓋を装着してあることを特徴とする請求項１乃至請求項７のいずれかに記載の包装容器。
【発明の詳細な説明】
【技術分野】
【０００１】
容器の内部に装着された仕切り版により容器内を分割して計量室と容器室にして、容器内の液体又は粉体の必要量を計量し、計量した液体又は粉体を使用箇所に排出するさいに用いられる計量容器に関する。
【背景技術】
【０００２】
従来カップ蓋液体容器では特許文献１、特許文献２、特許文献３のものが知られているが、いずれも洗濯時に計量升を兼ねるカップ蓋のキャップを開けるか又はカップ蓋そのものを取り外し、液体を計量する構成になっている。
【０００３】
しかしながら、従来のカップ蓋液体容器は、升蓋上の計量キャップを取り外して容器より液体を計量キャップに移すさい、又計量キャップに出しすぎた液体を液体容器へ戻す場合、特に持ち手付き大容量液体容器の場合は、非力な高年齢者など手が震えて計量キャップより容器や手、床などに液体が垂れてしまうとゆう欠点があった。
【先行技術文献】
【特許文献】
【０００４】
【特許文献１】特開２０１０−１７３７１２号公報
【特許文献２】実開平７−２８０５３号公報
【特許文献３】実開平４−１６１６４号公報
【発明の概要】
【発明が解決しようとする課題】
【０００５】
本発明は、以上のような従来の欠点を鑑み、容器内部を仕切る仕切り板を容器内部に設け  仕切板より上を計量室とし、仕切り板より下を容器室として、容器室内の液体又は紛体を容器室より計量室に移動し計量できて、計量後計量した液体又は紛体を使用箇所に排出できる包装容器を提供する事を目的としている。
【０００６】
特許文献１は、カップ蓋上の計量キャップを取り外して容器より液体を計量キャップに移すさい、又計量キャップに出しすぎた液体を液体容器へ戻す場合に、特に持ち手付き大容量液体容器の場合非力な高年齢者など手が震えて計量キャップより容器や手、床などに液体が垂れてしまう問題を解決しようとするものである。
【課題を解決するための手段】
【０００７】
請求項１は、容器口部にネジにより螺合する容器蓋を備えた柔軟性材料からなる容器と前記容器口部に装着して計量室を形成する計量具において、該計量具は、前記容器口部に装着した場合に前記容器内を容器室と容器口部を区画するための外周にパッキンを備えた仕切り板を有し、該仕切り板の中心を挟んで相対する外周寄りの位置に２本の液流穴を有する側板と空流穴を有する側板がそれぞれ仕切り板上に立設され、前記２本の側板の上端しは円盤上のフックパッキンで繋がれており、又、前記液流穴と空流穴のそれぞれは前記容器室から計量室に通じており、一方、前記容器蓋の内周面には前記フックパッキンの外周部を嵌合させるための溝を形成すると共に、前記容器蓋の側部には蓋を有する液排口が設けられると共に、この液排口には仕切り板の近傍まで伸びる液配管が繋がって形成されている包装容器
【０００８】
請求項２は、前記蓋の溝にフックパッキンを嵌合してあることにおいて、容器口部より容器蓋と仕切り板は一体に脱着できる包装容器
【０００９】
請求項３は、前記仕切り板中央に縦軸受けを設けて、仕切り板周囲より上に伸びる液流穴と液流口を有する側板と、空流穴と空流口を有する側板を形成して、液流口と空流口を開閉する液空流調整弁を液流口と空流口間に配設し、液空流調整弁より上下に伸びる縦軸下部に縦軸フックを形成しスプリングを装着して、縦軸受けにフックを貫通させ縦軸フックに止輪を装着して、容器口部内側に溝を形成し、溝にフックを嵌合して、容器口部に容器蓋を装着し、容器蓋脱着により縦軸が上下動する包装容器。
【００１０】
請求項４は、前記仕切板中央に縦軸受けと液流口形成し、容器蓋中央に柔軟性材料で形成された押しボタンを装着して、容器蓋と縦軸受け間にフックを有する縦軸を配設し、縦軸下部にスフリングを装着し、縦軸受けにフックを貫通させフックに液流口弁を装着して、容器蓋中央の押しボタンを押し縦軸と液流口弁を上下動させて液流口を開閉できる包装容器。
【００１１】
請求項５は、前記側板のフックパッキン下に突起を設け、容器口部内側に溝を形成し、前記溝に前記突起を脱着容易に嵌合してある包装容器。
【００１２】
請求項６は、前記仕切り板中央に液流管を形成して、液流管は、仕切り板より容器底迄延長すると共に仕切り板より上に伸ばして、液流管上部に柔軟性材で料形成した切断線液流口を有する液流口キャップを装着してある包装容器。
【００１３】
請求項７は、前記容器内部に容器内部を仕切る仕切り板挿入のさいに仕切り板を固定する溝を容器内部に円周状に設け、溝に仕切り板を脱着容易に挿入してあると共に、容器口部に装着する容器蓋側部を上に延長して、延長した容器蓋側部より仕切り板近く迄液排穴を形成して、容器口部を覆う容器蓋の天板上に天秤形埋め込み式弁レバーを設け、液排穴内の液流を遮断する弁を弁レバーにより上下動自在に装着してある包装容器。
【００１４】
請求項８は、前記仕切り板より上に伸ばした液流管の左右を切り欠き、残った部分を取っ手形状にして、液流管上部に柔軟性材料であるシリコンゴム素材で形成した切断線液流口を設けた液流口キャップを脱着容易に装着して、容器口部を覆う容器蓋の一部を樋形状にし、容器蓋に樋を覆う液排口蓋を装着してある包装容器。
【００１５】
請求項１と請求項２に対応する液体容器は、柔軟性容器内部に容器内部を仕切る仕切り板を設け、仕切板より上を計量室とし、仕切り板より下を容器室として、仕切り板周囲の溝にパッキンを装着し、仕切り板に仕切り板周囲より上に伸びる液流穴を有する側板と空流穴を有する側板を形成し、液流穴下部と空流穴下部は容器室に続け上部は計量室に続けて、側板上部を繋ぐフックパッキンを設ける。
【００１６】
容器口部に装着する容器蓋に、容器口部の雄螺子に螺合する雌螺子上に溝を形成して、溝にフックパッキンを引っ掛けて、容器蓋側部に液排口を設けて、液排口より仕切板近くまで伸びる液排管を形成して、液排口を液排口蓋で塞いで、容器に傾斜計量線と計量線を記入する。
【００１７】
請求項３に対応する液体容器は、容器内部に容器内部を仕切る仕切り板を設け、仕切板より上を計量室とし、仕切り板より下を容器室として、仕切り板周囲の溝にパッキンを装着し、仕切り板中央に縦軸受けを設けて、仕切り板に仕切り板周囲より上に伸びる液流穴と液流口を有する側板と、空流穴と空流口を有する側板を形成し、液流穴下部と空流穴下部は容器室に続け、液流口と空流口は計量室に続けて、側板上部を繋ぐフックを形成する。
【００１８】
液流口と空流口を開閉する液空流調整弁を液流口と空流口間に配設し、液空流調整弁に液空流調整弁より上下に伸びる縦軸下部に縦軸フックを形成しスプリングを装着して、縦軸受けにフックを貫通させ縦軸フックに止輪を装着する。
【００１９】
容器口部内側に溝を形成して、溝にフックをはめ込み、容器口部に蓋を装着し、縦軸上部を容器蓋まで延長して、容器に傾斜計量線と計量線を記入する。
【００２０】
請求項４に対応する液体容器は、容器内部に容器内部を仕切る仕切り板を設け、仕切板より上を計量室とし、仕切り板より下を容器室として、仕切板中央に縦軸受けと液流口形成し、仕切り板周囲の溝にパッキンを装着して、仕切り板に仕切り板周囲より上に伸びる左側板と右側板を形成し、左側板と右側板上部に左側板と右側板上部を繋ぐフックパッキンを設ける。
【００２１】
容器口部に装着する容器蓋に、容器口部の雄螺子に螺合する雌螺子上に溝を形成して、溝にフックパッキンを引っ掛けて、容器蓋側部に液排口を設けて、容器蓋中央に柔軟性樹脂で形成された押しボタンを装着し、液排口を液排口蓋で塞ぐ。
【００２２】
容器蓋と縦軸受け間にフックを有する縦軸を配設し、縦軸下部にスプリングを装着し縦軸受けにフックを貫通させフックに液流口弁を装着して、容器に目安計量線と計量線を記入する。
【００２３】
請求項５に対応する液体容器は、容器内部に容器内部を仕切る仕切り板を設け、仕切板より上を計量室とし、仕切り板より下を容器室として、仕切板中央に縦軸受けと液流口を形成し、仕切り板周囲の溝にパッキンを装着して、仕切り板に仕切り板周囲より上に伸びる左側板と右側板を形成し、左側板と右側板上部に左側板上部と右側板上部を繋ぐフックパッキンを設け、フックパッキン下であり左側板と右側板に突起を形成する。
【００２４】
容器口部内側に溝を形成し溝に突起を引っ掛けて、容器口部に装着する容器蓋に、容器口部の雄螺子に螺合する雌螺子を設け、容器蓋中央に柔軟性樹脂で形成された押しボタンを装着し、容器口部を容器蓋で塞ぐ。
【００２５】
容器蓋と縦軸受け間にフックを有する縦軸を配設し、縦軸下部にスプリングを装着し縦軸受けにフックを貫通させフックに液流口弁を装着して、容器に目安計量線と計量線を記入する。
【００２６】
請求項６に対応する液体容器は、柔軟性容器内部に容器内部を仕切る仕切り板を設け、仕切板より上を計量室とし、仕切り板より下を容器室として、仕切り板周囲の溝にパッキンを装着し、仕切り板中央に液流管を形成して、液流管は、仕切り板より容器底迄延長すると共に仕切り板より上に伸ばして、液流管上部に柔軟性材料であるシリコン素材で形成した切断線液流口を設けた液流口キャップを装着する。
【００２７】
仕切り板に仕切り板周囲より上に伸びる左側板と右側板を形成し、左側板と右側板上部にフックを設け、仕切り板の脱着のさいに使用する梁を左側板と右側板上部間に設けて、容器口部内側に溝を形成し、溝にフックを係止して、容器口部にネジにより螺合する容器蓋を装着して、容器に計量線を記入する。
【００２８】
請求項７に対応する液体容器は、柔軟性容器内部に容器内部を仕切る仕切り板挿入のさいに仕切り板を固定する溝を容器内部に円周状に設け、溝に仕切り板を脱着容易に挿入して、仕切板より上を計量室とし、仕切り板より下を容器室として、仕切り板には仕切り板より上に伸びる液流穴と空流穴形成されて、液流穴下部と空流穴下部は容器室に続け上部は計量室に続ける。
【００２９】
容器口部に雄螺子形成し、容器口部に装着する容器蓋に、容器口部の雄螺子に螺合する雌螺子を設け容器蓋側部を上に延長して、延長した容器蓋側部より仕切り板近く迄液排穴を形成して、液排穴の容器蓋側部を液排口とし仕切り板近くを下液排口として、容器口部を覆う容器蓋の天板上に天秤形埋め込み式弁レバーを設け、液排穴内の液流を遮断する弁を弁レバーに弁レバーにより上下動自在に装着して、容器に傾斜計量線と計量線を記入する。
【００３０】
請求項８に対応する液体容器は、柔軟性容器内部に容器内部を仕切る仕切り板を設け、仕切板より上を計量室とし、仕切り板より下を容器室として、仕切り板周囲の溝にパッキンを装着し、仕切り板中央部に液流管を形成して、液流管は、仕切り板より容器底迄延長すると共に仕切り板より上に伸ばした左右を切り欠き、残った部分を取っ手形状にして、液流管上部に柔軟性材料であるシリコンゴム素材で形成した切断線液流口を設けた液流口キャップを脱着容易に装着する。
【００３１】
容器口部を覆う容器蓋の一部を樋形状にして、容器蓋に樋を覆う液排口蓋を装着して、容器に計量線を記入する。
【発明の効果】
【００３２】
以下図面に基づき説明する。
容器（１）図１−図７符号１−符号１７は、柔軟性容器（１）内部に容器（１）内部を仕切る仕切り板（２）を設けたことにおいて、仕切板（２）より上を計量室（３）とし、仕切り板（２）より下を容器室（４）とすることができる。
仕切り板（２）周囲より上に伸びる側板が全体円周ではなく左側板（７）と右側板（９）を形成してあり、計量室（３）側部の容器（１）と、左側板（７）と右側板（９）が接触していないことにおいて、液体計量時に計量室（３）側部全体の液体表面線を容器（１）外側より明確に確認することができる。
【００３３】
仕切り板（２）に仕切り板（２）周囲より上に伸びる液流穴（６）を有する左側板（７）と空流穴（８）を有する右側板（９）を形成し、液流穴（６）下部と空流穴（８）下部は容器室（４）に続け上部は計量室（３）に続けてあることにおいて、容器（１）を液流穴（６）方向に倒すと容器室（４）内の液体は、液流穴（６）を通過して計量室（３）に流入すると共に計量室（３）内の空気は空流穴（８）を通過して容器室（４）内に流入して、液体の計量ができる。
【００３４】
左側板（７）と右側板（９）上部に左側板（７）と右側板（９）上部を繋ぐフックパッキン（１０）を設けて、容器（１）口部に装着する容器蓋（１１）に溝（１２）を形成して、溝（１２）にフックパッキン（１０）を引っ掛けることにおいて、容器（１）口部より容器蓋（１１）を緩めて上げると共に仕切板（２）が容器（１）口部より取り除かれて容器（１）口部より液体の補充ができる。
【００３５】
容器（１８）図８−図１２符号１８−符号３９は、仕切り板（１９）中央に縦軸受け（２３）を設けて、仕切り板（１９）に仕切り板（１９）周囲より上に伸びる液流穴（２４）と液流口（２５）を有する左側板（２６）と、空流穴（２７）と空流口（２８）を有する右側板（２９）を形成し、液流口（２５）と空流口（２８）を開閉する液空流調整弁（３１）を液流口（２５）と空流口（２８）間に配設し、液空流調整弁（３１）に液空流調整弁（３１）より上下に伸びる縦軸（３２）下部に縦軸フック（３３）を形成しスプリング（３４）を装着して、縦軸受け（２３）に縦軸フック（３３）を貫通させ縦軸フック（３３）に止輪（３５）が装着されている。
【００３６】
容器（１８）口部内側に溝（３６）を形成して、溝（３６）にフック（３０）をはめ込み、容器（１８）口部に容器蓋（３７）を装着し、縦軸（３２）上部を容器蓋（３７）まで延長してあることにおいて、容器（１８）口部より容器蓋（３７）を外して液流口（２５）と空流口（２８）を閉じて計量室（２０）内の液体を液体の使用箇所へ排出できる。
【００３７】
容器（４０）図１３−図１７符号４０−符号６０は、仕切板（４１）中央に縦軸受け（４４）と液流口（４５）形成し、容器蓋（５０）中央に柔軟性樹脂で形成された押しボタン（５３）を装着し、容器蓋（５０）と縦軸受け（４４）間にフック（５５）を有する縦軸（５６）を配設し、縦軸（５６）下部にスプリング（５７）を装着し縦軸受け（４４）にフック（５５）を貫通させフック（５５）に液流口弁（５８）を装着してあることにおいて、容器蓋（５０）中央の押しボタン（５３）を押して縦軸（５６）と液流口弁（５８）を上下動させて液流口（４５）を開閉できる。
【００３８】
容器（６１）図１８−図２２符号６１−符号８０は、フックパッキン（７０）下であり左側板（６８）と右側板（６９）に突起（７１）を形成し、容器（６１）口部内側に溝（７２）を形成し溝（７２）に突起（７１）を引っ掛けてあることにおいて、液体の補充時に左側板（６８）と右側板（６９）上部のフックパッキン（７０）を容器（６１）口部内側におして溝（７２）よりを突起（７１）外してフックパッキン（７０）を上に引き上げることにおいて、容器（６１）口部より仕切り板（６２）を取り除いて容器（６１）口部より液体の補充ができる。
【００３９】
柔軟性容器（８１）図２３−図２６符号８１−符号９５は、仕切り板（８２）中央に液流管（８６）を形成して、液流管（８６）は、仕切り板（８２）より容器（８１）底迄延長すると共に仕切り板（８２）より上に伸ばして、液流管（８６）上部に柔軟性材料であるシリコンゴム素材で形成した切断線液流口（８７）を設けた液流口キャップ（８８）を装着してあることにおいて。容器（８１）側面を押して容器室（８４）内の液体を計量室（８３）に流入して液体使用量を計量できる。
【００４０】
左側板（８９）と右側板（９０）上部にフック（９１）を設け容器（８１）口部に形成された溝（９３）にフック（９１）を係止して、左側板（８９）と右側板（９０）上部間に梁（９２）を形成したことにおいて、梁（９２）を抓んで左側板（８９）と右側板（９０）と仕切り板（８２）を引き上げて容器（８１）口部より液体の補充ができる。
【００４１】
容器（９６）図２７−図３２符号９６−符号１１１は、柔軟性容器（９６）内部に容器（９６）内部を仕切る仕切り板（９７）挿入のさいに仕切り板（９７）を固定する溝（９８）を容器（９６）内部に円周状に設け、溝（９８）に仕切り板（９７）を脱着容易に挿入したことにおいて、容器室（１００）内への液体の補充は、容器（９６）口部より容器蓋（１０３）を外し、仕切り板（９７）は容器（９６）内に挿入したままで、容器（９６）口部より液体を注ぐと液体は、計量室（９９）を満たした後液流穴（１０１）と空流穴（１０２）を通過して容器室（１００）内に流入できる。
【００４２】
容器（９６）図２７−図３２符号９６−符号１１１は、容器蓋（１０３）側部を上に延長して、延長した容器蓋（１０３）側部より仕切り板（９７）近く迄液排穴（１０５）を形成して、液排穴（１０５）の容器蓋（１０３）側部を液排口（１０６）とし仕切り板（９７）近くを下液排口（１０７）として、容器（９６）口部を覆う容器蓋（１０３）の天板（１０４）上に天秤形埋め込み式弁レバー（１０８）を設け、液排穴（１０５）内の液流を遮断する弁（１０９）を弁レバー（１０８）に弁レバー（１０８）により上下動自在に装着してあることにおいて、経口洗浄剤を計量キャップを使用せず容器（９６）を押して液排口（１０６）より直接口の中に入れることができる。
【００４３】
容器（１１２）図３３−図３８符号１１２−符号１２４は、容器（１１２）内部を仕切る仕切り板（１１３）中央部より上に伸ばした液流管（１１７）の左右を切り欠いて残った部分を取っ手(１１８)形状にしてあることにおいて、容器（１１２）口部より取っ手(１１８)を引き上げると共に仕切り板（１１３）を容器(１１２)より取り外すことができる。
【００４４】
取っ手(１１８)に柔軟性材料であるシリコンゴム素材で形成した切断線液流口（１１９）を設けた液流口キャップ（１２０）が脱着容易に装着されていることにおいて、取っ手(１１８)より液流口キャップ（１２０）を外して容器室（１１５）内へ液体の補充ができる。
【００４５】
容器(１１２)口部を覆う容器蓋(１２１)の一部を樋(１２２)形状にして、樋(１２２)の下部分を液流口キャップ（１２０）上部に接触してあることにおいて、容器(１１２)側部を押して容器室（１１５）内の気圧を上げても仕切り板（１１３）が上に上がることはない。
【図面の簡単な説明】
【００４６】
【図１】容器（１）と容器蓋（１１）の正面図, 切断線Ａ−Ａ線を示す。
【図２】容器（１）と容器蓋（１１）の平面図、切断線Ｂ−Ｂ線を示す。
【図３】図２のＢ−Ｂ線切断部端面図。
【図４】容器（１）と容器蓋（１１）の平面図、切断線Ｃ−Ｃ線を示す。
【図５】図4のＣ−Ｃ線切断部端面図。
【図６】図1のＡ−Ａ線切断部端面図。
【図７】仕切り板（２）と左側板（７）と右側板（９）とパッキン（５）の斜視図。
【図８】容器（１８）と容器蓋（３７）の正面図、切断線Ｄ−Ｄ線を示す。
【図９】容器（１８）と容器蓋（３７）の平面図、切断線Ｅ−Ｅ線を示す。
【図１０】図９のＥ−Ｅ線切断部端面図。
【図１１】図９のＥ−Ｅ線切断部端面図、容器蓋（３７）を外している。
【図１２】図８のＤ−Ｄ線切断部端面図。
【図１３】容器（４０）と容器蓋（５０）の正面図。
【図１４】容器（４０）と容器蓋（５０）と押しボタン（５３）の平面図、切断線F−F線を示す。
【図１５】図１４のＦ−Ｆ線切断部端面図。
【図１６】図１４のＧ−Ｇ線切断部端面図、押しボタン（５３）を押している。
【図１７】図１４のＨ−Ｈ線切断部端面図、押しボタン（５３）と縦軸（５６）と液流口弁（５８）を一体に成型している。
【図１８】容器（６１）と容器蓋（７３）の正面図。
【図１９】容器（６１）と容器蓋（７３）と押しボタン（７４）の平面図、切断線G−G線を示す。
【図２０】図１９のＧ−Ｇ線切断部端面図。
【図２１】図１９のＧ−Ｇ線切断部端面図、押しボタン（７４）を押している。
【図２２】図１９のＧ−Ｇ線切断部端面図、容器蓋（７３）を外している。
【図２３】容器（８１）と容器蓋（９４）の正面図、切断線Ｈ−Ｈ線を示す。
【図２４】容器（８１）と容器蓋（９４）の平面図、切断線Ｊ−Ｊ線を示す。
【図２５】図２４のＪ−Ｊ線切断部端面図。
【図２６】図２３のＨ−Ｈ線切断部端面図。
【図２７】容器（９６）と容器蓋（１０３）の正面図。
【図２８】容器（９６）と容器蓋（１０３）と弁レバー（１０８）の平面図、切断線Ｋ−Ｋ線を示す。
【図２９】図２８のＫ−Ｋ線切断部端面図。
【図３０】容器（９６）と容器蓋（１０３）と弁レバー（１０８）の平面図、切断線Ｌ−Ｌ線を示す。
【図３１】図３０のＬ−Ｌ線切断部端面図。
【図３２】容器の側部に、液流穴(液流管)と空流穴(空流管)を容器と同一に成型した参考図。
【図３３】容器（１１２）と容器蓋（１２１）と液排口蓋(１２３)の正面図、切断線Ｍ−Ｍ線を示す。
【図３４】容器（１１２）と容器蓋（１２１）と液排口蓋(１２３)の平面図、切断線Ｎ−Ｎ線を示す。
【図３５】図３４のＮ−Ｎ線切断部端面図。
【図３６】容器（１１２）と容器蓋（１２１）と液排口蓋(１２３)の平面図、切断線Ｐ−Ｐ線を示す。
【図３７】図３６のＰ−Ｐ線切断部端面図。
【図３８】図３３のＭ−Ｍ線切断部端面図。
【発明を実施するための形態】
【００４７】
以下図面に基づき説明する。
容器（１）図１−図７符号１−符号１７は、柔軟性容器（１）内部に容器（１）内部を仕切る仕切り板（２）を設け、仕切板（２）より上を計量室（３）とし、仕切り板（２）より下を容器室（４）として、仕切り板（２）周囲の溝にパッキン（５）を装着し、仕切り板（２）に仕切り板（２）周囲より上に伸びる液流穴（６）を有する左側板（７）と空流穴（８）を有する右側板（９）を形成し、液流穴（６）下部と空流穴（８）下部は容器室（４）に続け上部は計量室（３）に続けて、左側板（７）と右側板（９）上部に左側板（７）と右側板（９）上部を繋ぐフックパッキン（１０）を設ける。
【００４８】
容器（１）口部に装着する容器蓋（１１）に、容器（１）口部の雄螺子に螺合する雌螺子上に溝（１２）を形成して、溝（１２）にフックパッキン（１０）を引っ掛けて、容器蓋（１１）側部に液排口（１３）を設けて、液排口（１３）より仕切板（２）近くまで伸びる液排管（１４）を形成して、液排口（１３）を液排口蓋（１５）で塞いで、容器（１）に傾斜計量線（１６）と計量線（１７）を記入する。
【００４９】
容器（１）の使用方法は、容器室（４）内の液体を計量室（３）に移すために容器（１）口部の雄螺子と容器蓋（１１）の雌螺子との螺合と、液排口（１３）の液排口蓋（１５）を確認して、容器（１）を液流穴（６）方向に倒すと容器室（４）内の液体は、液流穴（６）を通過して計量室（３）に流入すると共に計量室（３）内の空気は空流穴（８）を通過して容器室（４）内に流入して、目安液体使用量が計量室（３）内に流入した時点で容器（１）を立て、液体量を計量線（１７）で確認して、余分に入った液体はさらに容器（１）を傾けて液流穴（６）より容器室（４）に戻しつつ傾斜計量線（１６）で確認する。
【００５０】
計量された液体の使用箇所への排出は、液排口（１３）から液排口蓋（１５）を外して容器（１）側面を押すと容器室（４）内の空気は液流穴（６）と空流穴（８）を通過してから計量室（３）内の計量された液体上に流入し、計量された液体を上から押すと共に計量された液体は液排管（１４）をのぼって液排口（１３）より液体の使用箇所へ排出され、容器（１）側面を押した指を緩めると外部空気が液排口（１３）と液排管（１４）通過し計量室（３）に流入して、さらに液流穴（６）と空流穴（８）を通過して容器室（４）内に流入する。
【００５１】
容器室（４）内への液体の補充は、容器蓋（１１）に形成された溝（１２）にフックパッキン（１０）を引っ掛けてあるため、容器（１）口部より容器蓋（１１）を緩め上げると共に仕切板（２）が容器（１）口部より取り除かれて容器（１）口部より液体の補充ができる。
【００５２】
容器（１８）図８−図１２符号１８−符号３９は、容器（１８）内部に容器（１８）内部を仕切る仕切り板（１９）を設け、仕切板（１９）より上を計量室（２０）とし、仕切り板（２０）より下を容器室（２１）として、仕切り板（１９）周囲の溝にパッキン（２２）を装着し、仕切り板（１９）中央に縦軸受け（２３）を設けて、仕切り板（１９）に仕切り板（１９）周囲より上に伸びる液流穴（２４）と液流口（２５）を有する左側板（２６）と、空流穴（２７）と空流口（２８）を有する右側板（２９）を形成し、液流穴（２４）下部と空流穴（２７）下部は容器室（２１）に続け、液流口（２５）と空流口（２８）は計量室（２０）に続けて、左側板（２６）と右側板（２９）上部に左側板（２６）と右側板（２９）上部を繋ぐフック（３０）を形成する。
【００５３】
液流口（２５）と空流口（２８）を開閉する液空流調整弁（３１）を液流口（２５）と空流口（２８）間に配設し、液空流調整弁（３１）に液空流調整弁（３１）より上下に伸びる縦軸（３２）下部に縦軸フック（３３）を形成しスプリング（３４）を装着して、縦軸受け（２３）に縦軸フック（３３）を貫通させ縦軸フック（３３）に止輪（３５）を装着する。
【００５４】
容器（１８）口部内側に溝（３６）を形成して、溝（３６）にフック（３０）をはめ込み、容器（１８）口部に容器蓋（３７）を装着し、縦軸（３２）上部を容器蓋（３７）まで延長して、容器（１８）に傾斜計量線（３８）と計量線（３９）を記入する。
【００５５】
容器（１８）の使用方法は、容器室（１８）内の液体を計量室（２０）に移すために容器（１８）口部の雄螺子と容器蓋（３７）の雌螺子との螺合を確認して、容器（１８）を液流穴（２４）方向に倒すと容器室（２１）内の液体は、液流穴（２４）を通過して計量室（２０）に流入すると共に計量室（２０）内の空気は空流穴（２７）を通過して容器室（２１）内に流入して、目安液体使用量が計量室（２０）内に流入した時点で容器（１８）を立て、液体量を計量線（３９）で確認して、余分に入った液体はさらに容器（１８）を傾けて液流穴（２４）より容器室（２１）に戻しつつ傾斜計量線（３８）で確認する。
【００５６】
計量された液体の使用箇所への排出は、容器（１８）から容器蓋（３７）を外すと共に縦軸（３２）と液空流調整弁（３１）がスプリング（３４）により上って液流口（２５）と空流口（２８）は閉じて、容器（１８）を傾けて液体の使用箇所へ排出する。
【００５７】
容器室（１８）内への液体の補充は、容器（１８）口部に形成された溝（３６）にフック（３０）をはめてあるため、容器（１８）口部より左側板（２６）と右側板（２９）とフック（３０）を引き上げると共に仕切り板（１９）が容器（１８）口部より外れて、容器（１８）口部より液体の補充ができる。
【００５８】
容器（４０）図１３−図１７符号４０−符号６０は、容器（４０）内部に容器（４０）内部を仕切る仕切り板（４１）を設け、仕切板（４１）より上を計量室（４２）とし、仕切り板（４１）より下を容器室（４３）として、仕切板（４１）中央に縦軸受け（４４）と液流口（４５）形成し、仕切り板（４１）周囲の溝にパッキン（４６）を装着して、仕切り板（４１）に仕切り板（４１）周囲より上に伸びる左側板（４７）と右側板（４８）を形成し、左側板（４７）と右側板（４８）上部に左側板（４７）と右側板（４８）上部を繋ぐフックパッキン（４９）を設ける。
【００５９】
容器（４０）口部に装着する容器蓋（５０）に、容器（４０）口部の雄螺子に螺合する雌螺子上に溝（５１）を形成して、溝（５１）にフックパッキン（４９）を引っ掛けて、容器蓋（５０）側部に液排口（５２）を設けて、容器蓋（５０）中央に柔軟性樹脂のシリコンゴムで押しボタン（５３）を形成し、液排口（５２）を液排口蓋（５４）で塞ぐ。
【００６０】
容器蓋（５０）と縦軸受け（４４）間にフック（５５）を有する縦軸（５６）を配設し、縦軸（５６）下部にスフリング（５７）を装着し縦軸受け（４４）にフック（５５）を貫通させフック（５５）に液流口弁（５８）を装着して、容器（４０）に目安計量線（５９）と計量線（６０）を記入する。
【００６１】
図１７は、仕切板（４１）中央に液流口（４５）を形成し縦軸受け（４４）は形成せず、柔軟性合成樹脂であるシリコンゴムで押しボタン（５３）と縦軸（５６）と液流口弁（５８）を一体に形成している。
【００６２】
容器（４０）の使用方法は、容器室（４３）内の液体を計量室（４２）に移すために容器（４０）口部の雄螺子と容器蓋（５０）の雌螺子との螺合と、液排口（５２）の液排口蓋（５４）を確認して、容器蓋（５０）中央の押しボタン（５３）を押し縦軸（５６）と液流口弁（５８）をさげ液流口（４５）を開けて、容器（４０）を逆さまにすると共に容器室（４３）内の液体は、液流口（４５）を通過して計量室（４２）に流入すると共に計量室（４２）内の空気は液流口（４５）を通過して容器室（４３）内に流入して、目安液体使用量が目安計量線（５９）迄流入した時点で容器（４０）を立て、液体量を計量線（６０）で確認して、余分に入った液体はさらに押しボタン（５３）を押し計量室（４２）より液流口（４５）を通過させ容器室（４３）に戻しつつ計量線（６０）で確認する。
【００６３】
計量された液体の使用箇所への排出は、液排口（５２）から液排口蓋（５４）を外して容器（４０）を傾けて計量された液体を液排口（５２）より液体の使用箇所へ排出すると共に外部空気が液排口（５２）より計量室（４２）に流入する。
【００６４】
容器室（４３）内への液体の補充は、容器蓋（５０）に形成された溝（５１）にフックパッキン（４９）を引っ掛けてあるため、容器（４０）口部より容器蓋（５０）を緩め上げると共に仕切板（４１）が容器（４０）口部より取り除かれて容器（４０）口部より液体の補充ができる。
【００６５】
容器（６１）図１８−図２２符号６１−符号８０は、容器（６１）内部に容器（６１）内部を仕切る仕切り板（６２）を設け、仕切板（６２）より上を計量室（６３）とし、仕切り板（６３）より下を容器室（６４）として、仕切板（６２）中央に縦軸受け（６５）と液流口（６６）形成し、仕切り板（６２）周囲の溝にパッキン（６７）を装着して、仕切り板（６２）に仕切り板（６２）周囲より上に伸びる左側板（６８）と右側板（６９）を形成し、左側板（６８）と右側板（６９）上部に左側板（６８）上部と右側板（６９）上部を繋ぐフックパッキン（７０）を設け、フックパッキン（７０）下であり左側板（６８）と右側板（６９）に突起（７１）を形成する。
【００６６】
容器（６１）口部内側に溝（７２）を形成し溝（７２）に突起（７１）を引っ掛けて、容器（６１）口部に装着する容器蓋（７３）に、容器（６１）口部の雄螺子に螺合する雌螺子をもうけ、容器蓋（７３）中央に柔軟性樹脂で形成された押しボタン（７４）を装着し、容器（６１）口部を容器蓋（７３）で塞ぐ。
【００６７】
容器蓋（７３）と縦軸受け（６５）間にフック（７５）を有する縦軸（７６）を配設し、縦軸（７６）下部にスプリング（７７）を装着し、縦軸受け（６５）にフック（７５）を貫通させフック（７５）に液流口弁（７８）を装着して、容器（６１）に目安計量線（７９）と計量線（８０）を記入する。
【００６８】
容器（６１）の使用方法は、容器室（６４）内の液体を計量室（６３）に移すために容器（６１）口部の雄螺子と容器蓋（７３）の雌螺子との螺合を確認して、容器蓋（７３）中央の押しボタン（７４）を押し容器（６１）を逆さまにすると共に容器室（６４）内の液体は、液流口（６６）を通過して計量室（６３）に流入すると共に計量室（６３）内の空気は液流口（６６）を通過して容器室（６４）内に流入して、目安液体使用量が目安計量線（７９）迄流入した時点で容器（６１）を立て、液体量を計量線（８０）で確認して、余分に入った液体はさらに押しボタン（７４）を押し計量室（６３）より液流口（６６）を通過させ容器室（６４）に戻しつつ計量線（８０）で確認する。
【００６９】
計量された液体の使用箇所への排出は、容器（６１）口部より容器蓋（７３）を外して容器（６１）を傾けて計量された液体を液体使用箇所へ排出する。
【００７０】
容器室（６４）内への液体の補充は、左側板（６８）と右側板（６９）上部のフックパッキン（７０）を容器（６１）口部内側におして溝（７２）よりを突起（７１）外してフックパッキン（７０）を上に引き上げ、容器（６１）口部より仕切り板（６２）を取り除いて容器（６１）口部より液体の補充ができる。
【００７１】
容器（８１）図２３−図２６符号８１−符号９５は、柔軟性容器（８１）内部に容器（８１）内部を仕切る仕切り板（８２）を設け、仕切板（８２）より上を計量室（８３）とし、仕切り板（８２）より下を容器室（８４）として、仕切り板（８２）周囲の溝にパッキン（８５）を装着し、仕切り板（８２）中央に液流管（８６）を形成して、液流管（８６）は、仕切り板（８２）より容器（８１）底迄延長すると共に仕切り板（８２）より上に伸ばして、液流管（８６）上部に柔軟性材料であるシリコンゴム素材で形成した切断線液流口（８７）を設けた液流口キャップ（８８）を脱着容易に装着する。
【００７２】
仕切り板（８２）に仕切り板（８２）周囲より上に伸びる左側板（８９）と右側板（９０）を形成し、左側板（８９）と右側板（９０）上部にフック（９１）を設け、仕切り板（８２）の脱着のさいに使用する梁（９２）を左側板（８９）と右側板（９０）上部間に設けて、容器（８１）口部内側に溝（９３）を形成し、溝（９３）にフック（９１）を係止して、容器（８１）口部にネジにより螺合する容器蓋（９４）を装着して、容器（８１）に計量線（９５）を記入する。
【００７３】
柔軟性容器（８１）の使用方法は、容器室（８４）内の液体を計量室（８３）に移すために容器（８１）口部の雄螺子と容器蓋（９４）の雌螺子との螺合を解除し、容器（８１）口部より容器蓋（９４）を外して、又容器蓋（９４）にワンタッチ開閉機能を設けた場合は、容器蓋（９４）は外さずワンタッチ開閉機能を開けて、容器（８１）側面を押すと容器室（８４）内の液体は液流管（８６）と液流口（８７）を通過して計量室（８３）に流入し、液体使用量が計量室（８３）内に流入した時点で容器（８１）側面を押すのを止め緩めると共に外部空気が液流口（８７）と液流管（８６）を通過して、容器室（８４）に流入する。
計量された液体の使用箇所への排出は、容器（８１）を傾けて液体の使用箇所へ排出する。
【００７４】
容器室（８４）内への液体の補充は、容器（８１）口部に形成された溝（９３）にフック（９１）をはめてあるため、梁（９２）を抓むと共に左側板（８９）と右側板（９０）との距離は狭まり、溝（９３）より右側板（８９）と左側板（９０）のフック（９１）が外れ、梁（９２）を引き上げると共に仕切り板（８２）が容器（８１）口部より外れて、容器（８１）口部より液体の補充ができる。
容器室（８４）内への液体の補充は、液流管（８６）上部より液流口キャップ（８８）を外して容器（８１）口部より液体の補充ができる。
【００７５】
容器（９６）図２７−図３２符号９６−符号１１１は、柔軟性容器（９６）内部に容器（９６）内部を仕切る仕切り板（９７）挿入のさいに仕切り板（９７）を固定する溝（９８）を容器（９６）内部に円周状に設け、溝（９８）に仕切り板（９７）を脱着容易に挿入して、仕切板（９７）より上を計量室（９９）とし、仕切り板（９７）より下を容器室（１００）として、仕切り板（９７）には仕切り板（９７）より上に伸びる液流穴（１０１）と空流穴（１０２）形成されて、液流穴（１０１）下部と空流穴（１０２）下部は容器室（１００）に続け上部は計量室（９９）に続ける。
【００７６】
容器（９６）口部に雄螺子形成し、容器（９６）口部に装着する容器蓋（１０３）に、容器（９６）口部の雄螺子に螺合する雌螺子を設け容器蓋（１０３）側部を上に延長して、延長した容器蓋（１０３）側部より仕切り板（９７）近く迄液排穴（１０５）を形成して、液排穴（１０５）の容器蓋（１０３）側部を液排口（１０６）とし仕切り板（９７）近くを下液排口（１０７）として、容器（９６）口部を覆う容器蓋（１０３）の天板（１０４）上に天秤形埋め込み式弁レバー（１０８）を設け、液排穴（１０５）内の液流を遮断する弁（１０９）を弁レバー（１０８）に、弁レバー（１０８）により上下動自在に装着して、容器（９６）に傾斜計量線（１１０）と計量線（１１１）を記入する。
【００７７】
参考考案として、容器室（１００）内と計量室（９９）内と外部との気圧を一定にするための気圧調整弁を天板（１０４）に設けて、容器（９６）側部に、計量された液体の使用箇所への排出の際に容器（９６）側部を押して容器（９６）側部が変形する部分を設け、その他の容器（９６）側部は指で簡単に変形出来ない固さにする。
【００７８】
容器（９６）の使用方法は、容器室（１００）内と計量室（９９）内と外部との気圧を一定にするために弁レバー（１０８）を操作して弁（１０９）を上げる、又は気圧調整弁を開ける。
【００７９】
容器室（１００）内の液体を計量室（９９）に移すために容器（９６）口部の雄螺子と容器蓋（１０３）の雌螺子との螺合と、弁（１０９）が下りているかを確認して、容器（９６）を液流穴（１０１）方向に倒すと容器室（１００）内の液体は、液流穴（１０１）を通過して計量室（９９）に流入すると共に計量室（９９）内の空気は空流穴（１０２）を通過して容器室（１００）内に流入して、目安液体使用量が計量室（９９）内に流入した時点で容器（９６）を立て、液体量を計量線（１１１）で確認して、余分に入った液体はさらに容器（９６）を傾けて液流穴（１０１）より容器室（１００）に戻しつつ傾斜計量線（１１０）で確認する。
【００８０】
計量された液体の使用箇所への排出は、弁レバー（１０８）により弁（１０９）を上げてから容器（９６）側面を押すと容器室（１００）内の空気は液流穴（１０１）と空流穴（１０２）を通過してから計量室（９９）内の計量された液体上に流入し、計量された液体を上から押すと共に計量された液体は下液排口（１０７）より液排穴（１０５）に入り、液排穴（１０５）をのぼって液排口（１０６）より液体の使用箇所へ排出され、容器（９６）側面を押した指を緩めると外部空気が液排口（１０６）と液排穴（１０５）と下液排口（１０７）通過し計量室（９９）に流入して、さらに液流穴（１０１）と空流穴（１０２）を通過して容器室（１００）内に流入する。
【００８１】
容器室（１００）内への液体の補充は、容器（９６）口部より容器蓋（１０３）を外し、液流穴（１０１）又は空流穴（１０２）の管をつまんで仕切り板（９７）を外し、液体を容器（９６）口部より容器室（１００）内流入できる、又は容器（９６）口部より容器蓋（１０３）を外し、仕切り板（９７）は容器（９６）内に挿入したままで、容器（９６）口部より液体を注ぐと液体は計量室（９９）を満たし液流穴（１０１）と空流穴（１０２）を通過して容器室（１００）内に流入する。
【００８２】
容器（１１２）図３３−図３８符号１１２−符号１２４は、柔軟性容器（１１２）内部に容器（１１２）内部を仕切る仕切り板（１１３）を設け、仕切板（１１３）より上を計量室（１１４）とし、仕切り板（１１３）より下を容器室（１１５）として、仕切り板（１１３）周囲の溝にパッキン（１１６）を装着し、仕切り板（１１３）中央部に液流管（１１７）を形成して、液流管（１１７）は、仕切り板（１１３）より容器（１１２）底迄延長すると共に仕切り板（１１３）より上に伸ばした左右を切り欠き、残った部分を取っ手(１１８)形状にして、液流管（１１７）上部に柔軟性材料であるシリコンゴム素材で形成した切断線液流口（１１９）を設けた液流口キャップ（１２０）を脱着容易に装着する。
【００８３】
容器(１１２)口部を覆う容器蓋(１２１)の一部を液廃口とし、液廃口を樋(１２２)形状にして、容器蓋(１２１)に樋(１２２)を覆う液排口蓋(１２３)を装着して、容器（１１２）に計量線（１２４）を記入する。
【００８４】
柔軟性容器（１１２）の使用方法は、容器室（１１５）内の液体を計量室（１１４）に移すために容器（１１２）口部の雄螺子と容器蓋（１２１）の雌螺子との螺合を確認して、容器蓋（１２１）より液排口蓋(１２３)を外して、容器（１１２）側面を押すと容器室（１１５）内の液体は液流管（１１７）を上り切断線液流口（１１９）を通過して計量室（１１４）に流入し、液体使用量が計量室（１１４）内に流入した時点で容器（１１２）側面を押すのを止め緩めると共に外部空気が切断線液流口（１１９）と液流管（１１７）を通過して、容器室（１１５）に流入する。
【００８５】
計量室（１１４）内の計量された液体の使用箇所への排出は、容器（１１２）を傾けて樋(１２２)より液体の使用箇所へ排出する。
【００８６】
容器室（１１５）内への液体の補充は、容器（１１２）口部より容器蓋（１２１）を外して取っ手(１１８)より液流口キャップ（１２０）を外して、補充液体を容器（１１２）口部より注ぎ込むと補充液体は液流管（１１７）の左右を切り欠いた部分より液流管（１１７）に流入して液流管（１１７）を下がり容器室（１１５）内に流入する。
【符号の説明】
【００８７】
１  容器
２  仕切り板
３  計量室
４  容器室
５  パッキン
６  液流穴
７  左側板
８  空流穴
９  右側板
１０  フックパッキン
１１  容器蓋
１２  溝
１３  液排口
１４  液排管
１５  液排口蓋
１６  傾斜計量線
１７  計量線
１８  容器
１９  仕切り板
２０  計量室
２１  容器室
２２  パッキン
２３  縦軸受け
２４  液流穴
２５  液流口
２６  左側板
２７  空流穴
２８  空流口
２９  右側板
３０  フック
３１  液空流調整弁
３２  縦軸
３３  縦軸フック
３４  スプリング
３５  止輪
３６  溝
３７  容器蓋
３８  傾斜計量線
３９  計量線
４０  容器
４１  仕切り板
４２  計量室
４３  容器室
４４  縦軸受け
４５  液流口
４６  パッキン
４７  左側板
４８  右側板
４９  フックパッキン
５０  容器蓋
５１  溝
５２  液排口
５３  押しボタン
５４  液排口蓋
５５  フック
５６  縦軸
５７  スプリング
５８  液流口弁
５９  目安計量線
６０  計量線
６１  容器
６２  仕切り板
６３  計量室
６４  容器室
６５  縦軸受け
６６  液流口
６７  パッキン
６８  左側板
６９  右側板
７０  フックパッキン
７１  突起
７２  溝
７３  容器蓋
７４  押しボタン
７５  フック
７６  縦軸
７７  スプリング
７８  液流口弁
７９  目安計量線
８０  計量線
８１  容器
８２  仕切り板
８３  計量室
８４  容器室
８５  パッキン
８６  液流管
８７  液流口
８８  液流口キャップ
８９  左側板
９０  右側板
９１  フック
９２  梁
９３  溝
９４  容器蓋
９５  計量線
９６  容器
９７  仕切り板
９８  溝
９９  計量室
１００  容器室
１０１  液流穴
１０２  空流穴
１０３  容器蓋
１０４  天板
１０５  液排穴
１０６  液排口
１０７  下液排口
１０８  弁レバー
１０９  弁
１１０  傾斜計量線
１１１  計量線
１１２  容器
１１３  仕切り板
１１４  計量室
１１５  容器室
１１６  パッキン
１１７  液流管
１１８  取っ手
１１９  切断線液流口
１２０  液流口キャップ
１２１  容器蓋
１２２  樋
１２３  液排口蓋
１２４  計量線
【図１】
2014144813.tif 000003
【図２】
2014144813.tif 000004
【図３】
2014144813.tif 000005
【図４】
2014144813.tif 000006
【図５】
2014144813.tif 000007
【図６】
2014144813.tif 000008
【図７】
2014144813.tif 000009
【図８】
2014144813.tif 000010
【図９】
2014144813.tif 000011
【図１０】
2014144813.tif 000012
【図１１】
2014144813.tif 000013
【図１２】
2014144813.tif 000014
【図１３】
2014144813.tif 000015
【図１４】
2014144813.tif 000016
【図１５】
2014144813.tif 000017
【図１６】
2014144813.tif 000018
【図１７】
2014144813.tif 000019
【図１８】
2014144813.tif 000020
【図１９】
2014144813.tif 000021
【図２０】
2014144813.tif 000022
【図２１】
2014144813.tif 000023
【図２２】
2014144813.tif 000024
【図２３】
2014144813.tif 000025
【図２４】
2014144813.tif 000026
【図２５】
2014144813.tif 000027
【図２６】
2014144813.tif 000028
【図２７】
2014144813.tif 000029
【図２８】
2014144813.tif 000030
【図２９】
2014144813.tif 000031
【図３０】
2014144813.tif 000032
【図３１】
2014144813.tif 000033
【図３２】
2014144813.tif 000034
【図３３】
2014144813.tif 000035
【図３４】
2014144813.tif 000036
【図３５】
2014144813.tif 000037
【図３６】
2014144813.tif 000038
【図３７】
2014144813.tif 000039
【図３８】
2014144813.tif 000040
【手続補正書】
【提出日】平成25年11月25日(2013.11.25)
【手続補正１】
【補正対象書類名】図面
【補正対象項目名】図３７
【補正方法】変更
【補正の内容】
【図３７】
2014144813.tif 000041
【手続補正書】
【提出日】平成26年2月17日(2014.2.17)
【手続補正１】
【補正対象書類名】図面
【補正対象項目名】図５
【補正方法】変更
【補正の内容】
【図５】
2014144813.tif 000042
【手続補正書】
【提出日】平成26年4月3日(2014.4.3)
【手続補正１】
【補正対象書類名】特許請求の範囲
【補正対象項目名】請求項１
【補正方法】変更
【補正の内容】
【請求項１】
容器口部にネジにより螺合する容器蓋を備えた柔軟性材料からなる容器と前記容器口部に装着して計量室を形成する計量具において、該計量具は、前記容器口部に装着した場合に前記容器内を容器室と容器口部を区画するための外周にパッキンを備えた仕切り板を有し、該仕切り板の中心を挟んで相対する外周寄りの位置に２本の液流穴を有する側板と空流穴を有する側板がそれぞれ仕切り板上に立設され、前記２本の側板の上部を繋ぐフックパッキンを設けており、又、前記液流穴と空流穴のそれぞれは前記容器室から計量室に通じており、一方、前記容器蓋の内周面には前記フックパッキンの外周部を嵌合させるための溝を形成すると共に、前記容器蓋の側部には蓋を有する液排口が設けられると共に、この液排口には仕切り板の近傍まで伸びる液配管が繋がって形成されていることを特徴とする包装容器。
【手続補正２】
【補正対象書類名】特許請求の範囲
【補正対象項目名】請求項４
【補正方法】変更
【補正の内容】
【請求項４】
前記仕切板中央に縦軸受けと液流口を形成し、容器蓋中央に柔軟性材料で形成された押しボタンを装着して、容器蓋と縦軸受け間にフックを有する縦軸を配設し、縦軸下部にスプリングを装着し、縦軸受けにフックを貫通させフックに液流口弁を装着して、容器蓋中央の押しボタンを押し縦軸と液流口弁を上下動させて液流口を開閉できることを特徴とする請求項１乃至請求項３のいずれかに記載の包装容器。
【手続補正書】
【提出日】平成26年5月16日(2014.5.16)
【手続補正１】
【補正対象書類名】明細書
【補正対象項目名】０００７
【補正方法】変更
【補正の内容】
【０００７】
請求項１は、容器口部にネジにより螺合する容器蓋を備えた柔軟性材料からなる容器と前記容器口部に装着して計量室を形成する計量具において、該計量具は、前記容器口部に装着した場合に前記容器内を容器室と容器口部を区画するための外周にパッキンを備えた仕切り板を有し、該仕切り板の中心を挟んで相対する外周寄りの位置に２本の液流穴を有する側板と空流穴を有する側板がそれぞれ仕切り板上に立設され、前記２本の側板の上部を繋ぐフックパッキンを設けており、又、前記液流穴と空流穴のそれぞれは前記容器室から計量室に通じており、一方、前記容器蓋の内周面には前記フックパッキンの外周部を嵌合させるための溝を形成すると共に、前記容器蓋の側部には蓋を有する液排口が設けられると共に、この液排口には仕切り板の近傍まで伸びる液配管が繋がって形成されている包装容器。 
【手続補正２】
【補正対象書類名】明細書
【補正対象項目名】００１０
【補正方法】変更
【補正の内容】
【００１０】
請求項４は、前記仕切板中央に縦軸受けと液流口を形成し、容器蓋中央に柔軟性材料で形成された押しボタンを装着して、容器蓋と縦軸受け間にフックを有する縦軸を配設し、縦軸下部にスプリングを装着し、縦軸受けにフックを貫通させフックに液流口弁を装着して、容器蓋中央の押しボタンを押し縦軸と液流口弁を上下動させて液流口を開閉できることを特徴とする包装容器。
【手続補正書】
【提出日】平成26年5月28日(2014.5.28)
【手続補正１】
【補正対象書類名】特許請求の範囲
【補正対象項目名】請求項１
【補正方法】変更
【補正の内容】
【請求項１】
包装用容器において、容器口部にネジにより螺合する容器蓋を備えた柔軟性材料からなる容器と前記容器口部に装着して計量室を形成する計量具であって、該計量具は、前記容器口部に装着した場合に前記容器内を容器室と容器口部の計量室を区画するための外周にパッキンを備えた仕切り板を有し、該仕切り版に仕切り板周囲より上に伸びる液流穴を有する左側板と空流穴を有する右側板を形成し、前記左側板と右側板の上部を繋ぐフックパッキンを設けて、又、前記液流穴と空流穴のそれぞれは前記容器室から計量室に通じており、一方、前記容器蓋の内周面には前記フックパッキンの外周部を嵌合させるための溝を形成すると共に、前記容器蓋の側部には液排口蓋を有する液排口が設けられると共に、この液排口には仕切り板の近傍まで伸びる液配管が繋がって形成されていて、容器に傾斜計量線と計量線が記入されていることを特徴とする包装用容器。 
【手続補正２】
【補正対象書類名】特許請求の範囲
【補正対象項目名】請求項３
【補正方法】変更
【補正の内容】
【請求項３】
包装用容器において、  容器内部に容器内部を仕切る仕切り板を設け、仕切板より上を計量室とし、仕切り板より下を容器室として、仕切り板周囲の溝にパッキンを装着し、仕切り板中央に縦軸受けを設けて、仕切り板に仕切り板周囲より上に伸びる液流穴と液流口を有する左側板と、空流穴と空流口を有する右側板を形成し、液流穴下部と空流穴下部は容器室に続け、液流口と空流口は計量室に続けて、左側板と右側板上部に左側板と右側板上部を繋ぐフックを形成して、液流口と空流口を開閉する液空流調整弁を液流口と空流口間に配設し、液空流調整弁に液空流調整弁より上下に伸びる縦軸下部に縦軸フックを形成しスプリングを装着して、縦軸受けに縦軸フックを貫通させ縦軸フックに止輪を装着する、と共に、容器口部内側に溝を形成して、溝にフックをはめ込み、容器口部に容器蓋を装着し、縦軸上部を容器蓋まで延長して、容器に傾斜計量線と計量線が記入されていることを特徴とする包装用容器。 
【手続補正３】
【補正対象書類名】特許請求の範囲
【補正対象項目名】請求項４
【補正方法】変更
【補正の内容】
【請求項４】
包装用容器において、容器内部に容器内部を仕切る仕切り板を設け、仕切板より上を計量室とし、仕切り板より下を容器室として、仕切板中央に縦軸受けと液流口形成し、仕切り板周囲の溝にパッキンを装着して、仕切り板に仕切り板周囲より上に伸びる左側板と右側板を形成し、左側板と右側板上部に左側板と右側板上部を繋ぐフックパッキンを設けて、容器口部に装着する容器蓋に、容器口部の雄螺子に螺合する雌螺子上に溝を形成して、溝にフックパッキンを引っ掛けて、容器蓋側部に液排口を設けて、容器蓋中央に柔軟性樹脂のシリコンゴムで押しボタンを形成し、液排口を液排口蓋で塞いで、容器蓋と縦軸受け間にフックを有する縦軸を配設し、縦軸下部にスプリングを装着し縦軸受けにフックを貫通させフックに液流口弁を装着して、容器に目安計量線と計量線が記入されていて、容器蓋中央の押しボタンを押し縦軸と液流口弁を上下動させて液流口を開閉できることを特徴とする包装用容器。 
【手続補正４】
【補正対象書類名】特許請求の範囲
【補正対象項目名】請求項５
【補正方法】変更
【補正の内容】
【請求項５】
包装用容器において、容器内部に容器内部を仕切る仕切り板を設け、仕切板より上を計量室とし、仕切り板より下を容器室として、仕切板中央に縦軸受けと液流口形成し、仕切り板周囲の溝にパッキンを装着して、仕切り板に仕切り板周囲より上に伸びる左側板と右側板を形成し、左側板と右側板上部に左側板上部と右側板上部を繋ぐフックパッキンを設け、フックパッキン下であり左側板と右側板に突起を形成する、と共に、容器口部内側に溝を形成し溝に突起を引っ掛けて、容器口部に装着する容器蓋に、容器口部の雄螺子に螺合する雌螺子をもうけ、容器蓋中央に柔軟性樹脂で形成された押しボタンを装着し、容器口部を容器蓋で塞いで、容器蓋と縦軸受け間にフックを有する縦軸を配設し、縦軸下部にスプリングを装着し、縦軸受けにフックを貫通させフックに液流口弁を装着して、容器に目安計量線と計量線が記入されていることを特徴とする包装用容器。 
【手続補正５】
【補正対象書類名】特許請求の範囲
【補正対象項目名】請求項６
【補正方法】変更
【補正の内容】
【請求項６】
包装用容器において、柔軟性容器内部に容器内部を仕切る仕切り板を設け、仕切板より上を計量室とし、仕切り板より下を容器室として、仕切り板周囲の溝にパッキンを装着し、仕切り板中央に液流管を形成して、液流管は、仕切り板より容器底迄延長すると共に仕切り板より上に伸ばして、液流管上部に柔軟性材料であるシリコンゴム素材で形成した切断線液流口を設けた液流口キャップを脱着容易に装着する、と共に、仕切り板に仕切り板周囲より上に伸びる左側板と右側板を形成し、左側板と右側板上部にフックを設け、仕切り板の脱着のさいに使用する梁を左側板と右側板上部間に設けて、容器口部内側に溝を形成し、溝にフックを係止して、容器口部にネジにより螺合する容器蓋を装着して、容器に計量線が記入されていることを特徴とする包装用容器。 
【手続補正６】
【補正対象書類名】特許請求の範囲
【補正対象項目名】請求項７
【補正方法】変更
【補正の内容】
【請求項７】
包装用容器において、柔軟性容器内部に容器内部を仕切る仕切り板挿入のさいに仕切り板を固定する溝を容器内部に円周状に設け、溝に仕切り板を脱着容易に挿入して、仕切板より上を計量室とし、仕切り板より下を容器室として、仕切り板には仕切り板より上に伸びる液流穴と空流穴形成されて、液流穴下部と空流穴下部は容器室に続け上部は計量室に続ける、と共に、容器口部に雄螺子形成し、容器口部に装着する容器蓋に、容器口部の雄螺子に螺合する雌螺子を設け容器蓋側部を上に延長して、延長した容器蓋側部より仕切り板近く迄液排穴を形成して、液排穴の容器蓋側部を液排口とし仕切り板近くを下液排口として、容器口部を覆う容器蓋の天板上に天秤形埋め込み式弁レバーを設け、液排穴内の液流を遮断する弁を弁レバーにより上下動自在に装着して、容器に傾斜計量線と計量線が記入されていることを特徴とする包装用容器。 
【手続補正７】
【補正対象書類名】特許請求の範囲
【補正対象項目名】請求項８
【補正方法】変更
【補正の内容】
【請求項８】
包装用容器において、柔軟性容器内部に容器内部を仕切る仕切り板を設け、仕切板より上を計量室とし、仕切り板より下を容器室として、仕切り板周囲の溝にパッキンを装着し、仕切り板中央部に液流管を形成して、液流管は、仕切り板より容器底迄延長すると共に仕切り板より上に伸ばした左右を切り欠き、残った部分を取っ手形状にして、液流管上部に柔軟性材料であるシリコンゴム素材で形成した切断線液流口を設けた液流口キャップを脱着容易に装着する、と共に、容器口部を覆う容器蓋の一部を液廃口とし、液廃口を樋形状にして、容器蓋に樋を覆う液排口蓋を装着して、容器に計量線が記入されていることを特徴とする包装用容器。 
【手続補正９】
【補正対象書類名】明細書
【補正対象項目名】０００７
【補正方法】変更
【補正の内容】
【０００７】
請求項１は、包装用容器において、容器口部にネジにより螺合する容器蓋を備えた柔軟性材料からなる容器と前記容器口部に装着して計量室を形成する計量具であって、該計量具は、前記容器口部に装着した場合に前記容器内を容器室と容器口部の計量室を区画するための外周にパッキンを備えた仕切り板を有し、該仕切り版に仕切り板周囲より上に伸びる液流穴を有する左側板と空流穴を有する右側板を形成し、前記左側板と右側板の上部を繋ぐフックパッキンを設けて、又、前記液流穴と空流穴のそれぞれは前記容器室から計量室に通じており、一方、前記容器蓋の内周面には前記フックパッキンの外周部を嵌合させるための溝を形成すると共に、前記容器蓋の側部には液排口蓋を有する液排口が設けられると共に、この液排口には仕切り板の近傍まで伸びる液配管が繋がって形成されていて、容器に傾斜計量線と計量線が記入されている包装用容器。 
【手続補正１０】
【補正対象書類名】明細書
【補正対象項目名】０００９
【補正方法】変更
【補正の内容】
【０００９】
請求項３は、包装用容器において、  容器内部に容器内部を仕切る仕切り板を設け、仕切板より上を計量室とし、仕切り板より下を容器室として、仕切り板周囲の溝にパッキンを装着し、仕切り板中央に縦軸受けを設けて、仕切り板に仕切り板周囲より上に伸びる液流穴と液流口を有する左側板と、空流穴と空流口を有する右側板を形成し、液流穴下部と空流穴下部は容器室に続け、液流口と空流口は計量室に続けて、左側板と右側板上部に左側板と右側板上部を繋ぐフックを形成して、液流口と空流口を開閉する液空流調整弁を液流口と空流口間に配設し、液空流調整弁に液空流調整弁より上下に伸びる縦軸下部に縦軸フックを形成しスプリングを装着して、縦軸受けに縦軸フックを貫通させ縦軸フックに止輪を装着する、と共に、容器口部内側に溝を形成して、溝にフックをはめ込み、容器口部に容器蓋を装着し、縦軸上部を容器蓋まで延長して、容器に傾斜計量線と計量線が記入されている包装用容器。
【手続補正１１】
【補正対象書類名】明細書
【補正対象項目名】００１０
【補正方法】変更
【補正の内容】
【００１０】
請求項４は、包装用容器において、容器内部に容器内部を仕切る仕切り板を設け、仕切板より上を計量室とし、仕切り板より下を容器室として、仕切板中央に縦軸受けと液流口形成し、仕切り板周囲の溝にパッキンを装着して、仕切り板に仕切り板周囲より上に伸びる左側板と右側板を形成し、左側板と右側板上部に左側板と右側板上部を繋ぐフックパッキンを設けて、容器口部に装着する容器蓋に、容器口部の雄螺子に螺合する雌螺子上に溝を形成して、溝にフックパッキンを引っ掛けて、容器蓋側部に液排口を設けて、容器蓋中央に柔軟性樹脂のシリコンゴムで押しボタンを形成し、液排口を液排口蓋で塞いで、容器蓋と縦軸受け間にフックを有する縦軸を配設し、縦軸下部にスプリングを装着し縦軸受けにフックを貫通させフックに液流口弁を装着して、容器に目安計量線と計量線が記入されていて、容器蓋中央の押しボタンを押し縦軸と液流口弁を上下動させて液流口を開閉できる包装用容器。
【手続補正１２】
【補正対象書類名】明細書
【補正対象項目名】００１１
【補正方法】変更
【補正の内容】
【００１１】
請求項５は、包装用容器において、容器内部に容器内部を仕切る仕切り板を設け、仕切板より上を計量室とし、仕切り板より下を容器室として、仕切板中央に縦軸受けと液流口形成し、仕切り板周囲の溝にパッキンを装着して、仕切り板に仕切り板周囲より上に伸びる左側板と右側板を形成し、左側板と右側板上部に左側板上部と右側板上部を繋ぐフックパッキンを設け、フックパッキン下であり左側板と右側板に突起を形成する、と共に、容器口部内側に溝を形成し溝に突起を引っ掛けて、容器口部に装着する容器蓋に、容器口部の雄螺子に螺合する雌螺子をもうけ、容器蓋中央に柔軟性樹脂で形成された押しボタンを装着し、容器口部を容器蓋で塞いで、容器蓋と縦軸受け間にフックを有する縦軸を配設し、縦軸下部にスプリングを装着し、縦軸受けにフックを貫通させフックに液流口弁を装着して、容器に目安計量線と計量線が記入されている包装用容器。
【手続補正１３】
【補正対象書類名】明細書
【補正対象項目名】００１２
【補正方法】変更
【補正の内容】
【００１２】
請求項６は、包装用容器において、柔軟性容器内部に容器内部を仕切る仕切り板を設け、仕切板より上を計量室とし、仕切り板より下を容器室として、仕切り板周囲の溝にパッキンを装着し、仕切り板中央に液流管を形成して、液流管は、仕切り板より容器底迄延長すると共に仕切り板より上に伸ばして、液流管上部に柔軟性材料であるシリコンゴム素材で形成した切断線液流口を設けた液流口キャップを脱着容易に装着する、と共に、仕切り板に仕切り板周囲より上に伸びる左側板と右側板を形成し、左側板と右側板上部にフックを設け、仕切り板の脱着のさいに使用する梁を左側板と右側板上部間に設けて、容器口部内側に溝を形成し、溝にフックを係止して、容器口部にネジにより螺合する容器蓋を装着して、容器に計量線が記入されている包装用容器。
【手続補正１４】
【補正対象書類名】明細書
【補正対象項目名】００１３
【補正方法】変更
【補正の内容】
【００１３】
請求項７は、包装用容器において、柔軟性容器内部に容器内部を仕切る仕切り板挿入のさいに仕切り板を固定する溝を容器内部に円周状に設け、溝に仕切り板を脱着容易に挿入して、仕切板より上を計量室とし、仕切り板より下を容器室として、仕切り板には仕切り板より上に伸びる液流穴と空流穴形成されて、液流穴下部と空流穴下部は容器室に続け上部は計量室に続ける、と共に、容器口部に雄螺子形成し、容器口部に装着する容器蓋に、容器口部の雄螺子に螺合する雌螺子を設け容器蓋側部を上に延長して、延長した容器蓋側部より仕切り板近く迄液排穴を形成して、液排穴の容器蓋側部を液排口とし仕切り板近くを下液排口として、容器口部を覆う容器蓋の天板上に天秤形埋め込み式弁レバーを設け、液排穴内の液流を遮断する弁を弁レバーにより上下動自在に装着して、容器に傾斜計量線と計量線が記入されている包装用容器。
【手続補正１５】
【補正対象書類名】明細書
【補正対象項目名】００１４
【補正方法】変更
【補正の内容】
【００１４】
請求項８は、包装用容器において、柔軟性容器内部に容器内部を仕切る仕切り板を設け、仕切板より上を計量室とし、仕切り板より下を容器室として、仕切り板周囲の溝にパッキンを装着し、仕切り板中央部に液流管を形成して、液流管は、仕切り板より容器底迄延長すると共に仕切り板より上に伸ばした左右を切り欠き、残った部分を取っ手形状にして、液流管上部に柔軟性材料であるシリコンゴム素材で形成した切断線液流口を設けた液流口キャップを脱着容易に装着する、と共に、容器口部を覆う容器蓋の一部を液廃口とし、液廃口を樋形状にして、容器蓋に樋を覆う液排口蓋を装着して、容器に計量線が記入されている包装用容器。
【手続補正書】
【提出日】平成26年6月2日(2014.6.2)
【手続補正１】
【補正対象書類名】特許請求の範囲
【補正対象項目名】請求項２
【補正方法】変更
【補正の内容】
【請求項２】
前記容器蓋の溝にフックパッキンを嵌合してあることにおいて、容器口部より容器蓋と仕切り板は一体に脱着できることを特徴とする請求項１に記載の包装用容器。 
【手続補正２】
【補正対象書類名】明細書
【補正対象項目名】０００８
【補正方法】変更
【補正の内容】
【０００８】
請求項２は、前記容器蓋の溝にフックパッキンを嵌合してあることにおいて、容器口部より容器蓋と仕切り板は一体に脱着できる包装用容器。